(57)【要約】  【目的】  ユーザの設定に応じたノイズ低減処理を行う。  【構成】  ユーザによって，超高画質の画像を得る超高画質モード，高画質の画像を得る高画質モードまたは高速に画像を得る高画質モードのいずれかのモードが設定される（ステップ52）。超高画質モードが設定されると，超高画質の画像を得るためのメディアン／マルチ・フィルタを用いてノイズ低減処理が行われる（ステップ54）。高画質モードが設定されると，高画質の画像を得るためのメディアン・フィルタを用いてノイズ低減処理が行われる（ステップ55）。高速モードが設定されると，ロウ・パス・フィルタを用いてノイズ低減処理が行われ（ステップ56），ノイズ低減された画像が迅速に得られる。  【選択図】  図４
2006129114.tif 000002
【特許請求の範囲】
【請求項１】
第１のノイズ低減手法による画像データのノイズ低減処理と第２のノイズ低減手法による画像データのノイズ低減処理のいずれもできるノイズ低減回路，
画質優先モードまたはスピード優先モードを設定するモード設定器，および
上記モード設定器により画質優先モードが設定されたことに応じて上記第１のノイズ低減手法による画像データのノイズ低減処理を行い，上記モード設定器によりスピード優先モードが設定されたことに応じて上記第２のノイズ低減手法による画像データのノイズ低減処理を行うように上記ノイズ低減回路を制御するノイズ低減回路制御手段，
を備えた画像データのノイズ低減装置。
【請求項２】
第１のノイズ低減手法による画像データのノイズ低減処理を行う第１のノイズ低減回路，
第２のノイズ低減手法による画像データのノイズ低減処理を行う第２のノイズ低減回路，
画質優先モードまたはスピード優先モードを設定するモード設定器，および
上記モード設定器により画質優先モードが設定されたことに応じて上記第１のノイズ低減回路によるノイズ低減処理が行われるように上記第１のノイズ低減処理回路を制御し，上記モード設定器によりスピード優先モードが設定されたことに応じて上記第２のノイズ低減回路によるノイズ低減処理が行われるように上記第２のノイズ低減回路を制御するノイズ低減回路制御手段，
を備えた画像データのノイズ低減装置。
【請求項３】
上記第２のノイズ低減手法が，上記第１のノイズ低減手法による画像データのノイズ低減処理のノイズ低減の程度が変えられたものである，請求項１または２に記載の画像データのノイズ低減装置。
【請求項４】
第１のノイズ低減手法による画像データのノイズ低減処理と第２のノイズ低減手法による画像データのノイズ低減処理のいずれもできるようにノイズ低減回路を設定し，
画質優先モードまたはスピード優先モードを選択的に設定可能とし，
上記画質優先モードが設定されたことに応じて上記第１のノイズ低減手法による画像データのノイズ低減処理を行い，上記スピード優先モードが設定されたことに応じて上記第２のノイズ低減手法による画像データのノイズ低減処理を行うように上記ノイズ低減回路を制御する，
画像データのノイズ低減装置の制御方法。
【請求項５】
第１のノイズ低減手法による画像データのノイズ低減処理を行う第１のノイズ低減回路，および第２のノイズ低減手法による画像データのノイズ低減処理を行う第２のノイズ低減回路をそれぞれ設け，
画質優先モードまたはスピード優先モードを選択的に設定可能とし，
上記画質優先モードが設定されたことに応じて上記第１のノイズ低減回路によるノイズ低減処理が行われるように上記第１のノイズ低減処理回路を制御し，上記スピード優先モードが設定されたことに応じて上記第２のノイズ低減回路によるノイズ低減処理が行われるように上記第２のノイズ低減回路を制御する，
画像データのノイズ低減装置の制御方法。
【請求項６】
画像データのノイズ低減処理を行うコンピュータを制御するプログラムであって，
画質優先モードまたはスピード優先モードのいずれが設定されたかを判定させ，
上記画質優先モードが設定されたと判定されたことに応じて第１のノイズ低減手法による画像データのノイズ低減処理を行わせ，
上記スピード優先モードが設定されたと判定されたことに応じて第２のノイズ低減手法による画像データのノイズ低減処理を行わせるように上記コンピュータを制御するプログラム。
【請求項７】
請求項６に記載のプログラムを格納した記録媒体。
【発明の詳細な説明】
【技術分野】
【０００１】
この発明は，画像データのノイズ低減装置およびその制御方法ならびに画像データのノイズ低減処理プログラムおよびそのプログラムを格納した記録媒体に関する。
【背景技術】
【０００２】
ディジタル・スチル・カメラなどを用いて被写体を撮像することにより得られた被写体像には画質を向上させるためにノイズ低減処理が行われる。ノイズ低減処理はあらかじめ定められた手法で，画像全体に対して一様に行われることが多い（特許文献１）。
【特許文献１】特開平４−235472号公報
【０００３】
ノイズ低減処理は，その手法があらかじめ定められていることが多いから，ユーザの好みに応じて選択できることはあまり考えらていない。
【発明の開示】
【０００４】
この発明は，ユーザの好みに応じてノイズ低減処理を選択できるようにすることを目的とする。
【０００５】
第１の発明による画像データのノイズ低減装置は，第１のノイズ低減手法による画像データのノイズ低減処理と第２のノイズ低減手法による画像データのノイズ低減処理のいずれもできるノイズ低減回路，画質優先モードまたはスピード優先モードを設定するモード設定器，および上記モード設定器により画質優先モードが設定されたことに応じて上記第１のノイズ低減手法による画像データのノイズ低減処理を行い，上記モード設定器によりスピード優先モードが設定されたことに応じて上記第２のノイズ低減手法による画像データのノイズ低減処理を行うように上記ノイズ低減回路を制御するノイズ低減回路制御手段を備えていることを特徴とする。
【０００６】
第１の発明は，上記画像データのノイズ低減装置に適した制御方法も提供している。すなわち，この方法は，第１のノイズ低減手法による画像データのノイズ低減処理と第２のノイズ低減手法による画像データのノイズ低減処理のいずれもできるようにノイズ低減回路を設定し，画質優先モードまたはスピード優先モードを選択的に設定可能とし，上記画質優先モードが設定されたことに応じて上記第１のノイズ低減手法による画像データのノイズ低減処理を行い，上記スピード優先モードが設定されたことに応じて上記第２のノイズ低減手法による画像データのノイズ低減処理を行うように上記ノイズ低減回路を制御するものである。
【０００７】
第１の発明によると，上記ノイズ低減回路は，第１のノイズ低減手法による画像データのノイズ低減処理と第２のノイズ低減手法による画像データのノイズ低減処理とのいずれも可能である。画質優先モードまたはスピード優先モードのモード設定がユーザにより可能であり，画質優先モードが設定されると第１のノイズ低減手法により画像データのノイズ低減処理が行われる。スピード優先モードが設定されると，第２のノイズ低減手法により画像データのノイズ低減処理が行われる。第１のノイズ低減手法をスピードよりも画質が優先的に向上するノイズ低減処理に設定しておき，第２のノイズ低減手法を画質よりもスピードを優先するノイズ低減処理に設定しておくことにより，ユーザのモード設定に応じてユーザの好みのノイズ低減処理を実現できる。
【０００８】
第２の発明による画像データのノイズ低減装置は，第１のノイズ低減手法による画像データのノイズ低減処理を行う第１のノイズ低減回路，第２のノイズ低減手法による画像データのノイズ低減処理を行う第２のノイズ低減回路，画質優先モードまたはスピード優先モードを設定するモード設定器，および上記モード設定器により画質優先モードが設定されたことに応じて上記第１のノイズ低減回路によるノイズ低減処理が行われるように上記第１のノイズ低減処理回路を制御し，上記モード設定器によりスピード優先モードが設定されたことに応じて上記第２のノイズ低減回路によるノイズ低減処理が行われるように上記第２のノイズ低減回路を制御するノイズ低減回路制御手段を備えていることを特徴とする。
【０００９】
第２の発明は，上記画像データのノイズ低減装置の制御方法も提供している。すなわち，この方法は，第１のノイズ低減手法による画像データのノイズ低減処理を行う第１のノイズ低減回路，および第２のノイズ低減手法による画像データのノイズ低減処理を行う第２のノイズ低減回路をそれぞれ設け，画質優先モードまたはスピード優先モードを選択的に設定可能とし，上記画質優先モードが設定されたことに応じて上記第１のノイズ低減回路によるノイズ低減処理が行われるように上記第１のノイズ低減処理回路を制御し，上記スピード優先モードが設定されたことに応じて上記第２のノイズ低減回路によるノイズ低減処理が行われるように上記第２のノイズ低減回路を制御するものである。
【００１０】
第２の発明によると，第１のノイズ低減手法による画像データのノイズ低減処理を行う第１のノイズ低減回路と第２のノイズ低減手法による画像データのノイズ低減処理を行う第２のノイズ低減回路とが設けられている。画質優先モードまたはスピード優先モードのモード設定がユーザにより可能であり，画質優先モードが設定されると第１のノイズ低減回路において第１のノイズ低減手法により画像データのノイズ低減処理が行われる。スピード優先モードが設定されると，第２のノイズ低減回路において第２のノイズ低減手法により画像データのノイズ低減処理が行われる。第１のノイズ低減手法をスピードよりも画質が優先的に向上するノイズ低減処理に第１のノイズ低減回路を設定しておき，第２のノイズ低減手法を画質よりもスピードを優先するノイズ低減処理に第２のノイズ低減回路を設定しておくことにより，ユーザのモード設定に応じてユーザの好みのノイズ低減処理を実現できる。
【００１１】
第３の発明は，ノイズ低減処理のコンピュータを制御するプログラムについてのものである。すなわち，このプログラムは，画像データのノイズ低減処理を行うコンピュータを制御するプログラムであって，画質優先モードまたはスピード優先モードのいずれが設定されたかを判定させ，上記画質優先モードが設定されたと判定されたことに応じて第１のノイズ低減手法による画像データのノイズ低減処理を行わせ，上記スピード優先モードが設定されたと判定されたことに応じて第２のノイズ低減手法による画像データのノイズ低減処理を行わせるように上記コンピュータを制御するものである。このプログラムは，記録媒体に格納されていてもよい。
【００１２】
第３の発明においても画質優先モードまたはスピード優先モードのいずれかの設定に応じて，第１のノイズ低減手法によるノイズ低減処理または第２のノイズ低減手法によるノイズ低減処理が行われる。ユーザの好みに応じたノイズ低減処理を行わせることができる。
【実施例】
【００１３】
図１は，ディジタル・スチル・カメラの電気的構成を示すブロック図である。
【００１４】
この実施例によるディジタル・スチル・カメラにおいてはノイズ低減処理を行うことができる。とくに，この実施例によるディジタル・スチル・カメラにおいては，複数のノイズ低減手法にもとづくノイズ低減処理が可能であり，ユーザが設定したモードに応じて複数のノイズ低減手法の中から設定されたモードに応じたノイズ低減手法にもとづくノイズ低減処理が行われる。
【００１５】
ディジタル・スチル・カメラの全体の動作は，制御回路20によって統括される。
【００１６】
制御回路20には，互いにバス接続されているＣＰＵ21，ＲＯＭ22およびＲＡＭ23が含まれている。ＲＯＭ22には，ディジタル・スチル・カメラにおいて行われる画像処理の処理内容（処理名），その画像処理のバージョン，その他必要なデータ，画像処理プログラムなどが格納されている。ＲＡＭ23は，一時的に必要なデータ，メモリ・カード11から読み出された画像データなどを記憶するものである。
【００１７】
ディジタル・スチル・カメラには，ボタン類，モード設定ダイアル（モード設定ダイアルにより撮像モード，再生モード，修正モードなどの各種モードを設定できる。また，撮像モードには，極めて画質の高い画像を得る超高画質モード（第１の画質優先モード），比較的画質の高い画像を得る高画質モード（第２の画質優先モード），撮像処理を速く終わらせる高速モード（スピード優先モード）があり，これらのモードをユーザが設定できる。）などを含む操作器13が含まれている。ボタン類には，シャッタ・レリーズ・ボタン，上下左右の矢印が押下可能に形成されている上下左右ボタン，ＯＫボタン，BACKボタン，テレ・ボタン，ワイド・ボタン，などがある。また，ディジタル・スチル・カメラには，パーソナル・コンピュータを接続することができる。このために外部インターフェイス12がディジタル・スチル・カメラに設けられている。
【００１８】
ディジタル・スチル・カメラには，被写体を撮像するための撮像レンズ１，絞り２およびＣＣＤなどの撮像素子３が含まれている。レンズ駆動回路16によって撮像レンズ１のレンズ位置が制御される。また，絞り駆動回路17によって絞り２の開口が制御される。撮像レンズ１によって被写体像を表す光線が集光され，絞り２を通ってＣＣＤのような撮像素子３に入射する。撮像素子制御回路18によって制御される撮像素子３の受光面上に被写体像を表す光像が結像する。これらのレンズ駆動回路16，絞り駆動回路17および撮像素子制御回路18は，撮像系制御回路24によって制御される。
【００１９】
モード設定ダイアルによって撮像モードが設定されると，撮像素子制御回路18によって撮像素子３が制御され，被写体像を表す映像信号が撮像素子３から出力される。映像信号は，アナログ信号処理回路４において相関二重サンプリング等のアナログ信号処理が行われる。アナログ信号処理回路４から出力された映像信号は，アナログ／ディジタル変換回路４においてディジタル画像データに変換され，信号処理回路６に入力する。信号処理回路６において，超高画質モード，高画質モードまたは高速モードの設定に応じて異なるフィルタ処理（ノイズ低減処理）が行われる。このフィルタ処理について詳しくは後述する。また，信号処理回路６において，白バランス補正，輪郭補正などディジタル信号処理も行われる。
【００２０】
信号処理回路６から出力された画像データは，メモリ７を介して表示装置15に与えられる。表示装置15の表示画面上に被写体像が表示される。
【００２１】
シャッタ・レリーズ・ボタンが押されると，上述したのと同様に，被写体が再び撮像され，被写体像を表す画像データが得られる。画像データは，信号処理回路６からメモリ７に与えられ，一時的に記憶される。画像データは，メモリ７から読み出され，記録／読出制御回路14によって外部メモリ・インターフェイス10に接続されているメモリ・カード11に記録される。必要に応じて画像データに対してデータ圧縮が行われ，圧縮された画像データがメモリ・カード11に記録されるのはいうまでもない。
【００２２】
モード設定ダイアルによって再生モードが設定されると，記録／読出制御回路14によってメモリ・カード11から被写体像を表す画像データが読み出される。読み出された画像データは，メモリ７に与えられ，一時的に記憶される。画像データは，メモリ７から読み出され，表示装置15に与えられる。表示装置15の表示画面上にメモリ・カード11に記録されている画像データによって表される画像が表示される。
【００２３】
図２は，信号処理回路６の電気的構成を示すブロック図である。
【００２４】
信号処理回路６には，超高画質モード，高画質モードおよび高速モードに対応して，メディアン／マルチ・フィルタ31，メディアン・フィルタ32およびロウ・パス・フィルタ33が設けられている。これらのフィルタ31，32および33は，いずれも入力する画像データのノイズを低減するものである。メディアン／マルチ・フィルタ31は，極めて画質の高い画像を表す画像データを得るノイズ低減処理を実行できるが，処理速度が遅い。このために，ノイズ低減後の画像データを得るのに時間がかかる。メディアン・フィルタ32は，比較的高画質の画像を表す画像データをノイズ低減処理を実行できるし，処理速度はあまり遅くない。ロウ・パス・フィルタ33は，高画質の画像を表す画像データを得ることは期待できないが，ノイズ低減に要する時間が短い。このために，比較的短時間で，ノイズが除去された画像データが得られる。
【００２５】
これらのフィルタ31，32および33には，それぞれ入出力端子ａ１，ａ２，およびａ３ならびに出入力端子ｂ１，ｂ２およびｂ３が設けられている。超高画質モードが設定された場合には，入出力端子ａ１および出入力端子ｂ１が接続されるようにモード設定信号（制御回路20から与えられる）にもとづいて切替スイッチＳ１およびＳ２が制御される。高画質モードが設定された場合には，入出力端子ａ２およびｂ２が接続されるようにモード設定信号にもとづいて切替スイッチＳ１およびＳ２が制御される。高速モードが設定された場合には，入出力端子ａ３および出入力端子ｂ３が接続されるように，切替スイッチＳ１およびＳ２が制御される。
【００２６】
これにより，超高画質モードが設定された場合には，切替スイッチ３を介してメディアン／マルチ・フィルタ31に画像データが入力するので，メディアン／マルチ・フィルタ31において極めて高画質の画像データが得られるようにノイズ低減処理が行われる。同様に，高画質モードが設定された場合には，メディアン・フィルタ32において高画質の画像データが得られるようにノイズ低減処理が行われる。高速モードが設定された場合には，ロウ・パス・フィルタ33において高速のノイズ低減処理が行われる。
【００２７】
フィルタ31，32または33においてノイズ低減処理が行われた画像データは，切替スイッチＳ２を介してディジタル信号処理回路30に入力する。ディジタル信号処理回路30において上述したディジタル信号処理が行われる。ディジタル信号処理が行われた画像データは，いずれかのフィルタを単に通過して信号処理回路６から出力されて上述のようにメモリ・カード11に記録される。
【００２８】
図３は，メディアン／マルチ・フィルタ31の電気的構成を示すブロック図である。
【００２９】
メディアン／マルチ・フィルタ31に入力した画像データは，メディアン・フィルタ41に入力し，メディアン・フィルタのフィルタ係数にもとづくノイズ低減処理がまず行われる。メディアン・フィルタ41から出力された画像データは，画像データ分割回路42に入力し，低域の周波数成分を有する第１の画像データＤ１，低域および中域の周波数成分を有する第２の画像データＤ２および低域から高域の周波数成分を有する第３の画像データＤ３にそれぞれ分割される。分割された第１の画像データＤ１，第２の画像データＤ２および第３の画像データＤ３は，それぞれ第１のノイズ低減回路43，第２のノイズ低減回路44および第３のノイズ低減回路45に入力する。
【００３０】
第１のノイズ低減回路43は，低域の帯域成分の画像データに適したノイズ低減処理を行うもので，ノイズ低減処理が比較的弱くなるようにパラメータが設定されている。第２のノイズ低減回路44は，帯域および中域の帯域成分の画像データに適したノイズ低減処理を行うもので，ノイズ低減処理が比較的強くなるようにパラメータが設定されている。第３のノイズ低減回路45は，低域，中域および高域の帯域成分の画像データに適したノイズ低減処理を行うもので，ノイズ低減処理が比較的弱くなるように，パラメータが設定されている。このように，第１，第２および第３のノイズ低減回路43，44および45が，帯域成分に応じて設定されていることにより，中域の帯域成分のノイズが多い画像データのノイズを効果的に除去できる。
【００３１】
第１，第２および第３のノイズ低減回路43，44および45から出力されたノイズ低減後の第１の画像データＤ１，第２の画像データＤ２および第３の画像データＤ３は，画像データ合成回路46に入力する。画像データ合成回路46において，一駒の画像を表すように画像データが合成処理される。画像データ合成回路46の出力がメディアン／マルチ・フィルタ31の出力となり，上述したように，ディジタル信号処理回路30に与えられる。
【００３２】
図４は，撮像モードにおけるディジタル・スチル・カメラの処理手順を示すフローチャートである。
【００３３】
まず，操作器13を用いてユーザによって超高画質モード，高画質モードまたは高速モードのいずれかのモードが設定される（ステップ51）。その後，被写体が撮像されることにより被写体像を表す画像データが得られる（ステップ52）。
【００３４】
すると，設定されたモードが判定される（ステップ53）。超高画質モードが設定されていると，メディアン／マルチ・フィルタ31を用いて画像データのノイズ低減処理が行われる（ステップ54）。高画質モードが設定されていると，マルチ・フィルタ32を用いて画像データのノイズ低減処理が行われる（ステップ55）。高速モードが設定されていると，ロウ・パス・フィルタ33を用いてノイズ低減処理が行われる（ステップ56）。
【００３５】
画像データについてノイズ低減処理が終わると，ノイズ低減された画像データについてディジタル信号処理が行われる（ステップ57）。このディジタル信号処理については後述する。その後，画像データがメモリ・カード11に記録される（ステップ58）。
【００３６】
図５は，ディジタル信号処理の処理手順を示すフローチャートである。
【００３７】
ノイズ低減処理が行われた画像データについては，まず，白バランス調整が行われ（ステップ61），混色を除去するためにリニア・マトリクス処理が行われる（ステップ62）。また，画像データは，同時化処理が行われて（ステップ63），ＲＧＢの画像データから輝度データＹおよび色差データＣの生成処理が行われる（ステップ64）。
【００３８】
その後，輪郭補正処理が行われ（ステップ65），色補正のために色差マトリクス処理が行われる（ステップ66）。さらに，輝度データＹおよび色差データＣから再びＲＧＢ画像データに変換される（ステップ67）。
【００３９】
図６は，変形例を示すもので，信号処理回路６Ａの電気的構成を示すブロック図である。
【００４０】
上述した信号処理回路６には，超高画質モード，高画質モードおよび高速モードに応じて３つのフィルタ43，44および45が設けられているが，この変形例による信号処理回路６Ａにおいては，１つのノイズ低減フィルタ（第１のノイズ低減手法によるノイズ低減処理と第２のノイズ低減手法によるノイズ低減処理とができるもの）35が設けられている。ノイズ低減フィルタ35の出力がディジタル信号処理回路30に与えられる。
【００４１】
この変形例によるノイズ低減フィルタ35は，ノイズ低減のためのパラメータが超高画質に適するもの，高画質に適するもの，高速のノイズ低減処理に適するものに設定可能である（たとえば，フィルタ処理に用いられる行列を構成するフィルタ係数の数が高画質のものほど増やされる）。ノイズ低減フィルタ35には，モード設定信号が与えられており，ユーザによるモード設定に応じてパラメータが設定される。ユーザによって超高画質モードに設定された場合には，超高画質モード用のパラメータがノイズ低減フィルタ35に設定され，ユーザによって高画質モードに設定された場合には，高画質モード用のパラメータがノイズ低減フィルタ35に設定され，ユーザによって高速モードに設定された場合には，高速モード用のパラメータがノイズ低減フィルタ35に設定される。
【００４２】
このように，１つのノイズ低減フィルタによってもユーザの設定に応じたノイズ低減処理を実現できる。
【００４３】
図７は，他の実施例を示すもので，コンピュータ装置の電気的構成を示すブロック図である。
【００４４】
上述した実施例においては，ディジタル・スチル・カメラにおいて，ノイズ低減処理が行われているがコンピュータ装置においてノイズ低減処理を行わせることもできる。
【００４５】
コンピュータ装置の全体の動作は，ＣＰＵ70によって統括される。
【００４６】
ＣＰＵ70には，コマンド等をコンピュータ装置に与えるためのキーボード71，データ等を一時的に記憶するメモリ72および画像等を表示する表示装置73が接続されている。
【００４７】
また，ＣＰＵ70には，CD-ROM（コンパクト・ディスク−リード・オンリ・メモリ）ドライバ74およびメモリ・カード・インターフェイス76も接続されている。
【００４８】
CD-ROM75には，上述したユーザによる超高画質モード，高画質モードまたは高速モードに応じて行われるノイズ低減処理プログラムが格納されている。このCD-ROM75がCD-ROMドライバ74に装填されることにより，CD-ROM75に格納されているプログラムがコンピュータ装置にインストールされる。
【００４９】
また，メモリ・カード77には，ノイズ低減処理が行われていない画像データが記録されている。たとえば，上述したディジタル・スチル・カメラにおいて，信号処理回路６に与えられないで画像データがメモリ・カード11に与えられることにより，メモリ・カード11にノイズ低減処理がされていない画像データが記録されることとなろう。この場合，必要に応じて，上述したディジタル信号処理はコンピュータ装置において行われる。
【００５０】
メモリ・カード11に記録された画像データが読み取られ，メモリ72に一時的に記憶される。ユーザによってキーボード71を用いて超高画質モード，高画質モードまたは高速モードのノイズ低減処理が選択される。すると，CD-ROM75に記録されていたノイズ低減処理プログラムにしたがって図４に示したように，ユーザによって設定されたモードに応じたノイズ低減処理が行われる。ユーザの設定に応じて適したノイズ低減処理がコンピュータ装置において行われるようになる。
【００５１】
上述した実施例においては，フィルタ処理等によりノイズ低減処理が行われているが，輪郭補正を用いてノイズ低減処理を行うこともできる。たとえば，高速モードが設定された場合には，メディアン・フィルタを利用して単に画像データのノイズを低減処理を行い，高画質モードまたは超高画質モードが設定された場合には，画像データによって表される画像の輪郭の部分を判断し，輪郭部分を避けて画像を表す画像データにメディアン・フィルタを利用して画像データのノイズ低減処理を行うことができる。
【００５２】
また，高速モードが設定された場合には，輪郭補正を弱く行い，高画質モードまたは超高画質モードが設定された場合には，輪郭補正を強く行うようにしてもよい。
【図面の簡単な説明】
【００５３】
【図１】ディジタル・スチル・カメラの電気的構成を示すブロック図である。
【図２】信号処理回路の電気的構成を示すブロック図である。
【図３】メディアン／マルチ・フィルタの電気的構成を示すブロック図である。
【図４】ディジタル・スチル・カメラの処理手順を示すフローチャートである。
【図５】ディジタル信号処理の処理手順を示すフローチャートである。
【図６】信号処理回路の電気的構成を示すブロック図である。
【図７】コンピュータ装置の電気的構成を示すブロック図である。
【符号の説明】
【００５４】
６，６Ａ  信号処理回路
13  操作器（モード設定器）
20  制御回路
21，70  ＣＰＵ
31  メディアン／マルチ・フィルタ（ノイズ低減回路）
32，41  メディアン・フィルタ（ノイズ低減回路）
33  ロウ・パス・フィルタ（ノイズ低減回路）
35  ノイズ低減フィルタ（ノイズ低減回路）
43，44，45  ノイズ低減回路
75  CD-ROM（記録媒体）
【図１】
2006129114.tif 000003
【図２】
2006129114.tif 000004
【図３】
2006129114.tif 000005
【図４】
2006129114.tif 000006
【図５】
2006129114.tif 000007
【図６】
2006129114.tif 000008
【図７】
2006129114.tif 000009